(57)【特許請求の範囲】
【請求項１】
工事現場における作業に関するデータを作業中に計測し、計測結果である作業データであって当該作業データを得た工程を識別するための第１工程識別情報を含む作業データを取得する作業データ取得装置と、
前記作業が終了したときに工事現場を撮影して、前記作業に関する工事現場画像データであって、当該工事現場画像データを得た工程を識別するための第２工程識別情報を含む工事現場画像データを取得する撮影装置と、
前記作業データ取得装置及び前記撮影装置の少なくとも一方と第１電気通信回線を介して通信可能に接続されるサーバと、
を備え、
前記第１工程識別情報と前記第２工程識別情報に基づいて関連付けられた、同じ工程で得られた前記作業データ及び前記工事現場画像データが、前記第１電気通信回線を介して前記サーバに送信される、
ことを特徴とする、工事現場撮影システム。
【請求項２】
前記作業は、土木工事現場における基礎を造成するための杭工事作業であり、
前記作業データは、前記杭工事作業中において杭打ち機のモータに流れる電流値を計測して得られる電流値データ、及び、前記杭工事作業中において杭穴に流入されるセメントミルクの量を計測して得られる流量データの少なくとも一方である、
ことを特徴とする、請求項１に記載の工事現場撮影システム。
【請求項３】
前記作業に関する前記工事現場画像データは、前記撮影装置により取得された後、直ちに前記サーバへ送信され、
当該作業に関する前記作業データは、前記工事現場画像データと同時に前記サーバに送信される、
ことを特徴とする、請求項１又は２に記載の工事現場撮影システム。
【請求項４】
前記作業データ取得装置及び前記撮影装置は、前記第１電気通信回線とは異なる第２電気通信回線を介して通信可能に接続され、
前記作業データは、前記作業データ取得装置から前記第２電気通信回線を介して前記撮影装置に送信され、前記工事現場画像データ及び前記作業データは、前記撮影装置から前記第１電気通信回線を介して前記サーバへ送信される、
ことを特徴とする、請求項１から３のいずれか１項に記載の工事現場撮影システム。
【請求項５】
前記撮影装置は、前記工事現場の撮影処理が行われたときに、前記撮影処理が行われたことを示す撮影通知信号を前記第２電気通信回線を介して前記作業データ取得装置へ送信し、
前記作業データ取得装置は、前記撮影通知信号を受信したことをトリガとして前記作業データを前記第２電気通信回線を介して前記撮影装置に送信する、
ことを特徴とする、請求項４に記載の工事現場撮影システム。
【請求項６】
前記作業データ取得装置及び前記撮影装置は、前記サーバと第１電気通信回線を介して通信可能であり、
前記作業データ取得装置及び前記撮影装置は、前記第１電気通信回線とは異なる第２電気通信回線を介して通信可能に接続され、
前記撮影装置は、前記工事現場の撮影処理が行われたときに、前記撮影処理が行われたことを示す撮影通知信号、及び取得された工事現場画像データを識別する画像識別子を前記第２電気通信回線を介して前記作業データ取得装置に送信し、且つ、前記工事現場画像データを前記第１電気通信回線を介して前記サーバへ送信し、
前記作業データ取得装置は、前記撮影通知信号を受信したことをトリガとして、前記画像識別子に応じて関連付けられた作業データを前記第１電気通信回線を介して前記サーバへ送信する、
ことを特徴とする、請求項１から３のいずれか１項に記載の工事現場撮影システム。
【請求項７】
土木工事現場における基礎を造成するための杭工事作業中において、杭打ち機のモータに流れる電流値を計測して、計測結果である電流値データであって当該電流値データを得た工程を識別するための第１工程識別情報を含む電流値データを取得する電流計と、
前記杭工事作業が終了したときに工事現場を撮影して、前記杭工事作業に関する杭工事現場画像データであって、当該杭工事現場画像データを得た工程を識別するための第２工程識別情報を含む杭工事現場画像データを取得する撮影装置と、
前記電流計及び前記撮影装置の少なくとも一方と第１電気通信回線を介して通信可能に接続されるサーバと、
を備え、
前記第１工程識別情報と前記第２工程識別情報に基づいて関連付けられた、同じ工程で得られた前記電流値データ及び前記杭工事現場画像データが、前記第１電気通信回線を介して前記サーバに送信される、
ことを特徴とする、杭工事検査システム。
【請求項８】
土木工事現場における基礎を造成するための杭工事作業中において、杭穴に流入されるセメントミルクの量を計測して、計測結果である流量データであって当該流量データを得た工程を識別するための第１工程識別情報を含む流量データを取得する流量計と、
前記杭工事作業が終了したときに工事現場を撮影して、前記杭工事作業に関する杭工事現場画像データであって、当該杭工事現場画像データを得た工程を識別するための第２工程識別情報を含む杭工事現場画像データを取得する撮影装置と、
前記流量計及び前記撮影装置の少なくとも一方と第１電気通信回線を介して通信可能に接続されるサーバと、
を備え、
前記第１工程識別情報と前記第２工程識別情報に基づいて関連付けられた、同じ工程で得られた前記流量データ及び前記杭工事現場画像データが、前記第１電気通信回線を介して前記サーバに送信される、
ことを特徴とする、杭工事検査システム。
【請求項９】
工事現場における作業に関するデータを作業中に計測し、計測結果である作業データであって当該作業データを得た工程を識別するための第１工程識別情報を含む作業データを取得する作業データ取得手段と、
前記作業が終了したときに工事現場を撮影して工事現場画像データを取得する撮影装置から、当該工事現場画像データを得た工程を識別するための第２工程識別情報を含む工事現場画像データを受信する受信手段と、
前記第１工程識別情報と前記第２工程識別情報に基づいて関連付けられた、同じ工程で得られた前記作業データ及び前記工事現場画像データをサーバへ送信する送信手段と、
を備えることを特徴とする、作業データ取得装置。
【請求項１０】
前記作業は、土木工事現場における基礎を造成するための杭工事作業であり、
前記作業データは、前記杭工事作業中において杭打ち機のモータに流れる電流値を計測して得られる電流値データ、及び、前記杭工事作業中において杭穴に流入されるセメントミルクの量を計測して得られる流量データの少なくとも一方である、
ことを特徴とする、請求項９に記載の作業データ取得装置。
【請求項１１】
作業データ取得装置が、工事現場における作業に関するデータを作業中に計測し、計測結果である作業データであって当該作業データを得た工程を識別するための第１工程識別情報を含む作業データを取得して撮影装置に送信するステップと、
前記撮影装置が、前記作業が終了したときに工事現場を撮影して、前記作業に関する工事現場画像データであって、当該工事現場画像データを得た工程を識別するための第２工程識別情報を含む工事現場画像データを取得するステップと、
前記撮影装置が、前記第１工程識別情報と前記第２工程識別情報に基づいて、同じ工程で得られた前記作業データ及び前記工事現場画像データを関連付けるステップと、
前記撮影装置が、前記工事現場画像データ、及び、当該工事現場画像データに関連付けられた前記作業データをサーバに送信するステップと、
を有することを特徴とする、作業データ取得方法。
【請求項１２】
前記作業は、土木工事現場における基礎を造成するための杭工事作業であり、
前記作業データは、前記杭工事作業中において杭打ち機のモータに流れる電流値を計測して得られる電流値データ、及び、前記杭工事作業中において杭穴に流入されるセメントミルクの量を計測して得られる流量データの少なくとも一方である、
ことを特徴とする、請求項１１に記載の作業データ取得方法。
【発明の詳細な説明】
【技術分野】
【０００１】
本発明は、工事現場撮影システム、杭工事検査システム、作業データ取得装置、及び、作業データ取得方法に関する。
【背景技術】
【０００２】
工事現場において、工事の進捗状況を記録する、あるいは、工事の進捗状況を管理することを目的として、工事現場における作業に関する多数の工事現場写真を撮影することが行われている。撮影されたこれらの工事現場写真は、工事の管理を行う建設会社に送られ、工事の管理者などによって閲覧される。そして、作業内容に問題があればそれを是正する処置が管理者により行われる。
【先行技術文献】
【特許文献】
【０００３】
【特許文献１】特開２０１０−１８２０２８号公報
【特許文献２】特開２０１１−１７５５８４号公報
【特許文献３】特開２０１２−８４１１０号公報
【特許文献４】特開２０１３−１２５５３５号公報
【特許文献５】特開２０１３−１６５４４０号公報
【発明の概要】
【発明が解決しようとする課題】
【０００４】
ところで、工事現場写真を確認しただけでは、工事現場において作業が指示通りに正しく行われているか否かを識別するのが難しい場合がある。例えば、土木工事における基礎を造成するための杭工事作業においては、杭が正しい深さ（支持層）まで打たれているのか、あるいは杭を固めるコンクリートの量が適量であるか否かを、その出来栄えを撮影した工事現場写真をもって判断するのは難しい。したがって、作業が正しく行われているか否かを判断するのは、現場作業者が後日作成する報告書などに頼らざるを得ないのが実情である。
【０００５】
工事現場の作業が作業機械を用いて行われた場合などは、作業の結果を示す作業データが作業機械などによって取得される場合がある。このような場合、作業データは報告書に添付することが義務付けられているのが一般的であり、作業データを閲覧することで作業が正しく行われたか否かを管理者が判断し得る。作業データが適切なものであれば、管理者は作業が適切であったことを確認できるし、作業データが適切でなければ、当該作業データに基づいて現場における作業がどの点において適切でなかったのかなどを解析し、問題点を是正することができる。これにより現場における作業の信頼性が担保され得る。このように、現場における作業の信頼性を担保するためには、現場において取得された生の作業データを管理者が迅速に確認できることが肝要となる。
【０００６】
本発明の目的は、工事現場において計測された作業データを取得することによって、工事現場における作業の信頼性を担保することにある。
【課題を解決するための手段】
【０００７】
本発明に係る工事現場撮影システムは、工事現場における作業に関するデータを作業中に計測し、計測結果である作業データであって当該作業データを得た工程を識別するための第１工程識別情報を含む作業データを取得する作業データ取得装置と、前記作業が終了したときに工事現場を撮影して、前記作業に関する工事現場画像データであって、当該工事現場画像データを得た工程を識別するための第２工程識別情報を含む工事現場画像データを取得する撮影装置と、前記作業データ取得装置及び前記撮影装置の少なくとも一方と第１電気通信回線を介して通信可能に接続されるサーバと、を備え、前記第１工程識別情報と前記第２工程識別情報に基づいて関連付けられた、同じ工程で得られた前記作業データ及び前記工事現場画像データが、前記第１電気通信回線を介して前記サーバに送信される、ことを特徴とする。
【０００８】
望ましくは、前記作業は、土木工事現場における基礎を造成するための杭工事作業であり、前記作業データは、前記杭工事作業中において杭打ち機のモータに流れる電流値を計測して得られる電流値データ、及び、前記杭工事作業中において杭穴に流入されるセメントミルクの量を計測して得られる流量データの少なくとも一方である。
【０００９】
望ましくは、前記作業に関する前記工事現場画像データは、前記撮影装置により取得された後、直ちに前記サーバへ送信され、当該作業に関する前記作業データは、前記工事現場画像データと同時に前記サーバに送信される。
【００１０】
望ましくは、前記作業データ取得装置及び前記撮影装置は、前記第１電気通信回線とは異なる第２電気通信回線を介して通信可能に接続され、前記作業データは、前記作業データ取得装置から前記第２電気通信回線を介して前記撮影装置に送信され、前記工事現場画像データ及び前記作業データは、前記撮影装置から前記第１電気通信回線を介して前記サーバへ送信される。
【００１１】
望ましくは、前記撮影装置は、前記工事現場の撮影処理が行われたときに、前記撮影処理が行われたことを示す撮影通知信号を前記第２電気通信回線を介して前記作業データ取得装置へ送信し、前記作業データ取得装置は、前記撮影通知信号を受信したことをトリガとして前記作業データを前記第２電気通信回線を介して前記撮影装置に送信する。
【００１２】
望ましくは、前記作業データ取得装置及び前記撮影装置は、前記サーバと第１電気通信回線を介して通信可能であり、前記作業データ取得装置及び前記撮影装置は、前記第１電気通信回線とは異なる第２電気通信回線を介して通信可能に接続され、前記撮影装置は、前記工事現場の撮影処理が行われたときに、前記撮影処理が行われたことを示す撮影通知信号、及び取得された工事現場画像データを識別する画像識別子を前記第２電気通信回線を介して前記作業データ取得装置に送信し、且つ、前記工事現場画像データを前記第１電気通信回線を介して前記サーバへ送信し、前記作業データ取得装置は、前記撮影通知信号を受信したことをトリガとして、前記画像識別子に応じて関連付けられた作業データを前記第１電気通信回線を介して前記サーバへ送信する。
【００１３】
また、本発明に係る杭工事検査システムは、土木工事現場における基礎を造成するための杭工事作業中において、杭打ち機のモータに流れる電流値を計測して、計測結果である電流値データであって当該電流値データを得た工程を識別するための第１工程識別情報を含む電流値データを取得する電流計と、前記杭工事作業が終了したときに工事現場を撮影して、前記杭工事作業に関する杭工事現場画像データであって、当該杭工事現場画像データを得た工程を識別するための第２工程識別情報を含む杭工事現場画像データを取得する撮影装置と、前記電流計及び前記撮影装置の少なくとも一方と第１電気通信回線を介して通信可能に接続されるサーバと、を備え、前記第１工程識別情報と前記第２工程識別情報に基づいて関連付けられた、同じ工程で得られた前記電流値データ及び前記杭工事現場画像データが、前記第１電気通信回線を介して前記サーバに送信される、ことを特徴とする。
【００１４】
また、本発明に係る杭工事検査システムは、土木工事現場における基礎を造成するための杭工事作業中において、杭穴に流入されるセメントミルクの量を計測して、計測結果である流量データであって当該流量データを得た工程を識別するための第１工程識別情報を含む流量データを取得する流量計と、前記杭工事作業が終了したときに工事現場を撮影して、前記杭工事作業に関する杭工事現場画像データであって、当該杭工事現場画像データを得た工程を識別するための第２工程識別情報を含む杭工事現場画像データを取得する撮影装置と、前記流量計及び前記撮影装置の少なくとも一方と第１電気通信回線を介して通信可能に接続されるサーバと、を備え、前記第１工程識別情報と前記第２工程識別情報に基づいて関連付けられた、同じ工程で得られた前記流量データ及び前記杭工事現場画像データが、前記第１電気通信回線を介して前記サーバに送信される、ことを特徴とする。
【００１５】
また、本発明に係る作業データ取得装置は、工事現場における作業に関するデータを作業中に計測し、計測結果である作業データであって当該作業データを得た工程を識別するための第１工程識別情報を含む作業データを取得する作業データ取得手段と、前記作業が終了したときに工事現場を撮影して工事現場画像データを取得する撮影装置から、当該工事現場画像データを得た工程を識別するための第２工程識別情報を含む工事現場画像データを受信する受信手段と、前記第１工程識別情報と前記第２工程識別情報に基づいて関連付けられた、同じ工程で得られた前記作業データ及び前記工事現場画像データをサーバへ送信する送信手段と、を備えることを特徴とする。
【００１６】
また、本発明に係る作業データ取得方法は、作業データ取得装置が、工事現場における作業に関するデータを作業中に計測し、計測結果である作業データであって当該作業データを得た工程を識別するための第１工程識別情報を含む作業データを取得して撮影装置に送信するステップと、前記撮影装置が、前記作業が終了したときに工事現場を撮影して、前記作業に関する工事現場画像データであって、当該工事現場画像データを得た工程を識別するための第２工程識別情報を含む工事現場画像データを取得するステップと、前記撮影装置が、前記第１工程識別情報と前記第２工程識別情報に基づいて、同じ工程で得られた前記作業データ及び前記工事現場画像データを関連付けるステップと、前記撮影装置が、前記工事現場画像データ、及び、当該工事現場画像データに関連付けられた前記作業データをサーバに送信するステップと、を有することを特徴とする。
【発明の効果】
【００１７】
本発明によれば、工事現場において計測された作業データを取得することによって、工事現場における作業の信頼性を担保することができる。
【図面の簡単な説明】
【００１８】
【図１】第１実施形態に係る工事現場撮影システムの構成図である。
【図２】データロガーの構成図である。
【図３】作業データの例を示す図である。
【図４】従来利用されている電流計チャート紙の例を示す図である。
【図５】カメラ機能付き携帯端末の構成図である。
【図６】サーバの構成図である。
【図７】第１実施形態に係る工事現場撮影システムにおけるデータの流れを示す図である。
【図８】第１実施形態に係る工事現場撮影システムの処理の流れを示すフローチャートである。
【図９】第２実施形態に係る工事現場撮影システムにおけるデータの流れを示す図である。
【図１０】第２実施形態に係る工事現場撮影システムの構成図である。
【図１１】第３実施形態に係る工事現場撮影システムにおけるデータの流れを示す図である。
【図１２】第３実施形態に係る工事現場撮影システムの処理の流れを示すフローチャートである。
【発明を実施するための形態】
【００１９】
以下、図面に基づき本発明の実施形態について説明する。
【００２０】
＜第１実施形態＞
図１に、第１実施形態に係る工事現場撮影システムのシステム構成図を示す。工事現場撮影システムは、データロガー１０を含む作業機械１２、カメラ機能付きの携帯端末１４、ＡＳＰサーバなどのサーバ１６、管理端末（端末装置）１８，２０を含んで構成される。このうち、データロガー１０、作業機械１２、及び携帯端末１４は、工事現場において利用されるものである。本実施形態では、作業機械１２は、土木工事の基礎の造成に利用される杭打ち機である。携帯端末１４、サーバ１６、管理端末１８，２０はそれぞれ無線あるいは有線で第１電気通信回線としてのインターネット２２に接続される。
【００２１】
以下、工事現場撮影システムが有する各部について説明する。
【００２２】
図２に、データロガー１０の構成図が示されている。作業データ取得装置としてのデータロガー１０は、工事現場における作業機械１２の作業の結果を示す作業データを取得するものである。なお、本実施形態においては、データロガー１０は作業機械１２に含まれているが、データロガー１０は作業機械１２とは別に設けられてもよい。また、図２においては、データロガー１０が１つしか示されていないが、１つの工事現場にデータロガー１０が複数設けられていてもよい。
【００２３】
作業データ取得部１０ａは、作業機械１２による作業結果を示す作業データを工事の工程毎に取得する。作業データは、例えば作業機械１２に取り付けられた各種センサなどに基づいて取得される。例えば、作業データとしては、作業対象となる杭の番号、作業日の日付、作業時間、杭の深度、フィード速度、回転数、あるいは回転トルクなどが取得される。これらのデータのうち、作業中において刻々と変化するデータも含まれることから、作業データ取得部１０ａは、上記各項目を示すデータを連続的に取得する。例えば、作業データ取得部１０ａは、１秒毎に、上記各項目を示すデータである単位作業データを取得する。その結果、１つの工程が開始してから終了するまでの間において複数の単位作業データが取得される。複数の単位作業データは１つの工程が終わる度にまとめられる。これにより、工程毎に作業データが形成される。また、好適には、作業データ取得部１０ａは、複数の単位作業データがまとめられた時刻（つまり作業データが形成された時刻）を示すデータ取得時間情報を含めることができる。データ取得時間情報は、例えば作業データのメタデータとして含められる。
【００２４】
記憶部１０ｂは、例えばＲＡＭなどで構成され、作業データ取得部１０ａにより取得された作業データを記憶する。図３に、記憶部１０ｂに記憶された作業データの例が示されている。図３に示されるように、本実施形態では、作業データは１秒毎に取得された各単位作業データを各行とするテーブル形式となっている。また、記憶部１０ｂには、データロガー１０を動作させるためのプログラムも記憶されている。
【００２５】
図２に戻り、表示部１０ｃは、例えば液晶パネルなどで構成され、作業データ取得部１０ａにより取得される作業データが表示されるものである。具体的には、作業データに含まれる各項目に対する各パラメータが表示される。上述のように、各パラメータは刻々と変化するため、表示部１０ｃに表示されるパラメータも刻々と変化する。
【００２６】
通信部１０ｄは、本実施形態においては、携帯端末１４との間で通信を行うために設けられる。通信部１０ｄとしては、例えば無線ＬＡＮＩ／Ｆ又はブルートゥース（登録商標）アダプタなどであってよい。通信部１０ｄを介して、作業データ取得部１０ａが取得した作業データが携帯端末１４に送信される。作業データは、携帯端末１４によって取得される工事現場画像データ（後述）のサーバ１６への送信処理に先立って、携帯端末１４に送られる。本実施形態では、作業データは、携帯端末１４から送信される撮影通知信号（後述）をトリガとして携帯端末１４に送信される。あるいは、作業データは、取得された直後に携帯端末１４に送信されてもよい。
【００２７】
入力部１０ｅは、作業者がデータロガー１０に情報を入力するためのものである。例えば、作業者は作業に先立って、これから行う工程を一意に識別する工程ＩＤを入力することができる。作業データ取得部１０ａが取得した作業データに入力された工程ＩＤを含めて記憶部１０ｂに記憶させておくことで、取得された作業データがどの工程についての作業データなのかを識別することが可能になる。あるいは、データロガー１０が、予め定められた工程（例えば杭打ち工程）にのみ使用される場合には、入力部１０ｅは不要であり、データロガー１０に予め入力されている、当該工程を示す情報を工程ＩＤとして利用することもできる。
【００２８】
外部メモリＩ／Ｆ１０ｆは、例えばＵＳＢメモリスロットあるいはメモリカードスロットなどで構成される。外部メモリＩ／Ｆ１０ｆに挿入されたＵＳＢメモリあるいはメモリカードには、作業データ取得部１０ａが取得し記憶部１０ｂに記憶された作業データがコピーあるいは移動される。作業データ取得部１０ａが取得した作業データは、通信部１０ｄから携帯端末１４への送信に代えて、ＵＳＢメモリなどにコピーされて作業者などによって携帯端末１４へ移されるようにしてもよい。
【００２９】
制御部１０ｇは、例えばマイクロプロセッサなどから構成され、記憶部１０ｂに記憶されたプログラムに従って、データロガー１０の各部を制御するものである。
【００３０】
データロガー１０の一例としては、作業機械１２である杭打ち機の掘削ロッドを駆動するためのモータ（オーガモータ）に流れる電流値を計測して電流値データを取得する電流計である。図４に示すように、従来の電流計においては、オーガモータに流れる電流値が順次計測されてそれが電流計チャートとして紙に印刷されて出力されていた。後述するように、本実施形態に係る工事現場撮影システムにおいては、従来の電流計チャートに相当する電子データ（つまり作業データ）が工事現場からインターネット２２を介してサーバ１６に送信されるものである。また、油圧によって杭を圧入する方式の杭打ち機に対しては、データロガー１０として油圧を計測して油圧データを取得する油圧計が用いられる。さらに、データロガー１０の他の例としては、作業機械１２である杭打ち機によって杭穴に流通されるセメントミルクの量を計測して流量データを取得する流量計である。
【００３１】
図５に、カメラ機能付きの携帯端末１４の構成図が示されている。撮影装置としての携帯端末１４は、主に、工事の各工程の作業が終了した後に、当該工程の作業に関する工事現場写真を撮影するために用いられる。工事現場写真は、例えば、工事現場の各工程の作業の出来栄えを撮影した写真である。
【００３２】
撮影部１４ａは、工事現場写真を撮影する。撮影部１４ａは、被写体である工事現場の像をデジタル画像データ（工事現場画像データ）に変換するセンサ、デジタル画像データに対しゲイン補正（ホワイトバランス感度設定）、ガンマ補正、同時化処理、ＲＧＢ−ＹＣ変換処理、ノイズ低減処理、輪郭補正などの各種処理を実行するＤＳＰなどを含んで構成される。また、好適には、撮影部１４ａは、工事現場画像データに当該工事現場写真を撮影した日時を示す撮影時間情報を含めることができる。撮影時間情報は、例えば工事現場画像データのメタデータとして含められる。
【００３３】
シャッタボタン１４ｂは、工事現場において作業を行う作業者により操作されるボタンである。作業者によりシャッタボタン１４ｂが押下されると、後述の制御部１４ｈはそれを検知して撮影部１４ａに撮影処理を実行させる。
【００３４】
表示部１４ｃは、例えば液晶パネルなどで構成され、撮影部１４ａが撮影（取得）した工事現場画像データなどを表示する。
【００３５】
記憶部１４ｄは、例えばＲＡＭなどで構成され、撮影部１４ａにより撮影され処理された工事現場画像データ、あるいは、データロガー１０から送信された作業データなどが記憶される。また、記憶部１４ｄには、携帯端末１４の各部を動作させるためのプログラムが記憶される。
【００３６】
また、記憶部１４ｄには、工事現場での工事における予め定められた工程順序に従って各工程における工事現場写真を順次撮影することを指示するデータ（あるいはプログラム）である撮影指示データが記憶されてもよい。撮影指示データは、工事現場写真の撮影に先立って記憶部１４ｄに記憶される。例えば、撮影指示データはサーバ１６から送信される。後述の制御部１４ｈは、記憶部１４ｄに記憶された撮影指示データに基づいて、次に撮影すべき工程を示す情報を表示部１４ｃに表示させる。
【００３７】
通信部１４ｅは、無線ＬＡＮＩ／Ｆ又はブルートゥースアダプタなどを含んで構成される。通信部１４ｅにより携帯端末１４はデータロガー１０と通信可能になる。上述のように、データロガー１０にも通信部１０ｄが設けられていることから、工事現場内において、データロガー１０及び携帯端末１４とを通信可能に接続する、第２電気通信回線としての工事現場内通信回線が形成される。工事現場内通信回線を介して、データロガー１０から携帯端末１４へ作業データが送信され、また、携帯端末１４からデータロガー１０へ撮影通知信号（後述）が送信される。工事現場内通信としては、無線ＬＡＮ、あるいはブルートゥース通信が用いられる。
【００３８】
無線ＬＡＮの動作モードとして、インフラストラクチャモードあるいはアドホックモードを利用することができる。インフラストラクチャモードは、無線ＬＡＮネットワーク内に設けられるアクセスポイントを介して互いに通信するモードである。本実施形態においては、携帯端末１４をアクセスポイントとして、携帯端末１４と１又は複数のデータロガー１０とが通信する。
【００３９】
また、アドホックモードは、ネットワーク内の各端末において互いに直接通信するモードである。アドホックモードにおいては、２つの端末間において同じ端末識別子（例えばＥＳＳ−ＩＤなど）を設定しておき、端末識別子に基づいて通信相手の端末を特定する。本実施形態においては、携帯端末１４とデータロガー１０との間において１対１の通信が行われる。
【００４０】
ブルートゥース通信は、無線ＬＡＮのアドホックモード同様に、２つの端末間において１対１の通信を行うものである。ブルートゥース通信に先立って、２つの端末においてペアリング（認証）が行われ、ペアリングした端末間においてブルートゥース通信が行われる。
【００４１】
工事現場内通信回線によれば、データロガー１０からみれば、その通信相手は常に携帯端末１４と決まっているため、データロガー１０から携帯端末１４に作業データを送信する場合に、作業者などが送信先の指定を行う必要なく作業データの送信を行うことができる。
【００４２】
また、通信部１４ｅは、インターネット２２と通信する機能も有する。通信部１４ｅは、撮影部１４ａにより撮影された工事現場画像データ、及びデータロガー１０から取得した作業データをサーバ１６に送信するためなどに用いられる。
【００４３】
外部メモリＩ／Ｆ１４ｆは、例えばＵＳＢメモリスロットあるいはメモリカードスロットなどで構成される。外部メモリＩ／Ｆ１４ｆには、データロガー１０により取得された作業データが記憶されたＵＳＢメモリやメモリカードが挿入され、これにより当該作業データを記憶部１４ｄにコピーあるいは移動することができる。
【００４４】
好適には、携帯端末１４には入力部１４ｇが設けられる。入力部１４ｇは、作業者が携帯端末１４に情報を入力するためのものである。例えば、作業者は携帯端末１４による工事現場写真の撮影に先立って、撮影対象の工程を一意に識別する工程ＩＤを入力することができる。撮影部１４ａが取得した工事現場画像データに入力された工程ＩＤを含めて記憶部１４ｄに記憶させておくことで、取得された工事現場画像データがどの工程についての画像データなのかを識別することが可能になる。
【００４５】
制御部１４ｈは、例えばマイクロプロセッサなどから構成され、記憶部１４ｄに記憶されたプログラムに従って、携帯端末１４の各部を制御するものである。
【００４６】
また、本実施形態においては、制御部１４ｈは、データロガー１０から送信されたある工程についての作業データと、撮影部１４ａが取得した当該工程についての工事現場画像データとを関連付ける処理を行う。関連付けとは、ある工事現場画像データに関連する作業データをサーバ１６が識別可能にすることである。例えば、工事現場画像データと作業データとに同じＩＤ（識別子）を付すことなどによって両データを関連付けることができる。また、例えば、工事現場画像データのメタデータに含まれた画像識別子としての撮影時間情報と、作業データのメタデータに含まれたデータ取得時間情報と、に基づいて、両者を関連付けることができる。作業が終了した後（つまり作業データが形成された後）すぐに工事現場写真が撮影されることに鑑みて、工事現場画像データと、当該工事現場画像データが取得された時刻から最も近い過去に取得された作業データとを関連付けることで、同じ工程により得られた作業データと工事現場画像データとが関連付けられる。この関連付け方法によれば、データロガー１０の入力部１０ｅ、あるいは携帯端末１４の入力部１４ｇからの工程ＩＤの入力は不要になる。
【００４７】
あるいは、１つの工程が終わる度に必ず工事現場画像データと作業データとがサーバ１６へ送信され、サーバ１６へ送信された作業データが記憶部１４ｄから削除されることを前提とするならば、直前に取得された工事現場画像データ（つまりこの場合も工事現場画像データが取得された時刻が画像識別子となる）と、データロガー１０から送信されてきて記憶部１４ｄに記憶されている１つの作業データを関連付けることで、同じ工程により得られた作業データと工事現場画像データとが関連付けられる。同じ工程により得られた作業データと工事現場画像データとを関連付ける方法としては、上記の他にも様々な方法を採用することができる。
【００４８】
なお、データロガー１０において作業データに工程ＩＤが含められ、携帯端末１４において工事現場画像データに画像識別子としての工程ＩＤが含められている場合は、当該工程ＩＤが付されたこともって両者が関連付けられたといえる。
【００４９】
また、制御部１４ｈは、好適には、作業者によりシャッタボタン１４ｂが押下されたときに、それを検知してデータロガー１０に対して、携帯端末１４において撮影処理が行われたことを示す撮影通知信号を送信する。工事現場内に複数のデータロガー１０がある場合は、複数のデータロガー１０に撮影通知信号を同報送信する。これにより、データロガー１０は、撮影通知信号をトリガとして作業データを携帯端末１４に送信することができる。また、好適には、撮影通知信号と共に、当該撮影処理により取得される工事現場写真を識別するための画像識別子（例えば工程ＩＤなど）が送信される。そのようにすれば、データロガー１０は、当該画像識別子に基づいて、携帯端末１４において取得された工事現場写真データに対応する作業データを携帯端末１４に送信することができる。
【００５０】
さらに、本実施形態においては、制御部１４ｈは、撮影部１４ａが取得した工事現場画像データと、それに対応する（つまり同じ工程に関する）作業データとをサーバ１６へ送信する処理を行う。つまり、工事現場画像データと、それに関連付けられた作業データとをサーバ１６へ送信する処理を行う。好適には、工事現場画像データと作業データとは同時にサーバ１６に送信される。例えば、工事現場画像データ及び作業データは、電子メール形式における添付ファイルとして送信され得る。電子メールの送信先、例えばサーバ１６のメールアドレスは、予め記憶部１４ｄに記憶されているのが好適である。これにより、作業者は送信先の指定などを行うことなく、工事現場画像データ及び作業データをサーバ１６に送信することができる。好適には、制御部１４ｈは、工事現場写真の撮影が行われた後、直ちに工事現場画像データ及び作業データをサーバ１６に送信する。
【００５１】
また、工事現場画像データ及び作業データと共に、これらのデータに関する工事現場あるいは工事プロジェクトを識別する現場ＩＤを送信するようにしてもよい。これらのデータが電子メール形式で送信される場合は、当該電子メールの件名（サブジェクト）に、添付された工事現場画像データ及び作業データに関する工事現場あるいは工事プロジェクトを識別する現場ＩＤを付してもよい。これにより、後にサーバ１６において、工事現場画像データ及び作業データを工事現場あるいは工事プロジェクト毎に識別して管理することが可能になる。なお、各工事現場あるいは工事プロジェクトにおいて使用される携帯端末１４が予め定められている場合には、現場ＩＤとして携帯端末１４を識別する携帯端末ＩＤを利用することができる。
【００５２】
携帯端末１４によれば、作業者にしてみれば、予め作業データを携帯端末１４に移した上で、シャッタボタン１４ｂを押すだけで、工事現場画像データの取得、当該工事現場画像データに対応した作業データの取得、工事現場画像データと作業データの関連付け、及び関連付けられた工事現場画像データと作業データとの送信の一連の処理が自動的に行われる。
【００５３】
サーバ１６は、工事現場から送信され、関連付けられた状態の工事現場画像データ及び作業データをデータベースに記憶する。サーバ１６は、また、工事現場画像データ及び作業データと共に送信される現場ＩＤに基づいて、現場ＩＤが示す工事現場などを管理する会社に設置された管理端末を特定し、特定した管理端末にインターネット２２を介して受信通知を送信してもよい。
【００５４】
例えば、管理会社Ａが管理端末１８のユーザであり、管理会社Ａが携帯端末１４が利用された工事現場を管理する会社であるとする。サーバ１６は、現場ＩＤに基づいて、当該工事現場を管理するのが管理会社Ａであり、管理会社Ａは管理端末１８のユーザであるから、当該工事現場を管理する管理端末として管理端末１８を特定する。また、携帯端末１４以外に他のカメラ付き携帯端末が存在するものとし、管理会社Ｂが管理端末２０のユーザであり、管理会社Ｂが当該他のカメラ付き携帯端末が利用された工事現場を管理する会社であるとすると、サーバ１６は、当該他のカメラ付き携帯端末から送られた現場ＩＤに基づいて、当該他のカメラ付き携帯端末を管理するのが管理会社Ｂであり、管理会社Ｂは管理端末２０のユーザであるから、当該工事現場を管理する管理端末として管理端末２０を特定する。
【００５５】
管理会社の管理者は、工事現場画像データ及び作業データが必要な場合には、管理端末１８あるいは管理端末２０を用いてサーバ１６にアクセスし、サーバ１６から工事現場画像及びそれに関連付けられた作業データを取得して管理端末１８あるいは管理端末２０の表示装置に表示させる。管理者は、管理端末１８あるいは管理端末２０の表示装置に表示された工事現場画像データ及び作業データを視認することで、工事現場における工事の状況を確認することができる。
【００５６】
図６に、サーバ１６の構成ブロック図を示す。サーバ１６は、通信インタフェース（Ｉ／Ｆ）１６ａ、ＣＰＵ１６ｂ、ＲＯＭやＲＡＭ等のメモリ１６ｃ、ユーザ属性を記憶するユーザ属性データベース（ＤＢ）１６ｄ、関連付けられた工事現場画像データ及び作業データを記憶する工事現場情報データベース（ＤＢ）１６ｅ、工事現場画像データ及び作業データを所定のファイルフォーマットに編集、加工して得られたファイルデータを記憶するファイルデータベース（ＤＢ）１６ｆを備える。
【００５７】
ユーザ属性データベース１６ｄは、ユーザである管理会社（あるいは管理会社の担当者）の基本情報、具体的には名称、住所、管理端末１８（あるいは管理端末２０）のＩＰアドレス、管理会社が管理する工事現場を示す現場ＩＤを対応付けてテーブルとして記憶する。このテーブルを参照することで、管理者が管理する工事現場を特定することができる。また、ユーザ属性データベース１６ｄは、さらにユーザである管理会社毎のユーザＩＤやパスワードを記憶する。
【００５８】
ＣＰＵ１６ｂは、ユーザ属性データベース１６ｄに記憶されたテーブルを用いてどの携帯端末から工事現場画像データ及び作業データが送信され、どの管理端末に対して受信完了通知を送信するかを決定する。また、管理端末１８（あるいは管理端末２０）からの要求に応じ、工事現場画像データ及び作業データを前記画像データベース１６ｅあるいはファイルデータベース１６ｆから読み出して管理端末１８（あるいは管理端末２０）に送信する。サーバ１６の各種処理は、基本的にＣＰＵ１６ｂで実行される。
【００５９】
図７は、第１実施形態に係る工事現場撮影システムのデータの流れを示す図である。また、図８は、第１実施形態における処理の流れを示すフローチャートである。図７を参照しながら、図８のフローチャートについて説明する。
【００６０】
ステップＳ１０において、工事現場において作業機械１２による作業が開始されると、データロガー１０により、作業機械１２による作業の作業結果を示す作業データが取得される。本例においては、まず杭打ち機によって杭穴掘削作業が行われ、杭穴３０が設けられる。当該作業中においてデータロガー１０（電流計）によって、作業データとしてのオーガモータの電流値が計測される。さらに、杭穴３０にセメントミルク３２を注入する注入作業が行われる。当該作業中においてデータロガー１０（流量計）によって、作業データとしてのセメントミルク３２の注入量が計測される。また、本例においては、当該作業に先立ってデータロガー１０にこれから作業を行う工程を識別する工程ＩＤが作業者によって入力されており、取得された作業データに当該工程ＩＤが含められる。
【００６１】
１つの工程（杭穴掘削・セメントミルク注入工程）の作業が終了すると、ステップＳ１２において、携帯端末１４により、当該工程に関する工事現場写真が撮影される。本例では、掘削した杭穴３０及び杭穴３０に流入されたセメントミルク３２が撮影される。これにより、当該工程に関する工事現場画像データが取得される。また、本例においては、工事現場写真の撮影に先立って携帯端末１４にこれから撮影を行う工事現場写真の工程を識別する工程ＩＤが作業者によって入力されており、撮影処理により取得される工事現場画像データに当該工程ＩＤが含められる。
【００６２】
ステップＳ１４において、ステップＳ１２の撮影処理に応じて、携帯端末１４から複数のデータロガーに対して撮影通知信号が同報送信される。また、携帯端末１４は、撮影通知信号と共に、当該工事現場写真の工程を識別する工程ＩＤを共に複数のデータロガー１０に送信する。
【００６３】
ステップＳ１６において、複数のデータロガー１０（電流計、流量計）は、受信した撮影通知信号に基づいて、作業データを携帯端末１４に送信する。ここで、データロガー１０は、受信した工程ＩＤに基づいて、撮影された工事現場画像データに対応する作業データを携帯端末１４に送信する。具体的には、電流計から電流値データが送信され、流量計から流量データが送信される。
【００６４】
ステップＳ１８において、携帯端末１４の制御部１４ｈは、工事現場写真の撮影処理が終了した後、直ちに、工事現場画像データと、受信し記憶部１４ｄに記憶された作業データとを関連付ける処理を行う。つまり、取得された工事現場画像データに対応する（つまり同じ工程に関する）作業データを特定する処理を行う。本例では、データロガー１０から移された作業データには工程ＩＤが含まれ、取得した工事現場画像データにも工程ＩＤが含まれているから、両データは既に関連付けられているといえる。両データが例えば取得時間などによって関連付けられる場合は、当該ステップにて関連付け処理が行われる。
【００６５】
なお、ステップＳ１８において、取得された工事現場画像データの工程に対応する作業データが記憶部１４ｄに記憶されていない場合は、携帯端末１４は工事現場画像データをサーバ１６へ送信せず、作業者に対して警告を出力するなどの処理を行うのが好適である。
【００６６】
ステップＳ２０において、携帯端末１４の制御部１４ｈは、工事現場画像データと作業データの関連付け処理が終了した後、直ちに、関連付けた工事現場画像データと作業データとをサーバ１６に送信する。つまり、工事現場画像データは、それが取得された後、作業データと共に直ちにサーバ１６に送信される。また、工事現場画像データと作業データと共に、携帯端末１４は、これらのデータに関する工事現場を識別する現場ＩＤをサーバ１６へ送信する。
【００６７】
ステップＳ２０において、サーバ１６は、受信した工事現場画像データと作業データを、共に受信した現場ＩＤに基づいて、工事現場毎に区別して記憶する。
【００６８】
第１実施形態に係る工事現場撮影システムの概要は以上の通りである。本実施形態に係る工事現場撮影システムによれば、データロガー１０により取得された作業データは、携帯端末１４に送信され、そこから工事現場写真データと共にサーバへ送信される。これにより、工事現場において取得された生の作業データが、改ざんなどされることなく、すぐにサーバ１６へ送信される。
【００６９】
データロガー１０から携帯端末１４へＵＳＢメモリなどを介して作業データが移される態様においても、工事現場写真は、工事終了後すぐに撮影されるのが一般的である。つまり、工事現場写真が工程の作業が終了したあとすぐに撮影されるならば、作業中において取得される作業データも取得された後すぐにサーバ１６へ送信されることになる。これにより、作業データの改ざんが防止され、データロガー１０により計測された生の作業データをサーバ１６に送信することができる。
【００７０】
このように工事現場から送信される生の作業データは、工事現場における作業信頼性の担保に寄与する。
【００７１】
万一作業データの改ざんが行われた場合にそれを検出可能とするため、あるいは改ざんの抑止力を向上させるために、携帯端末１４により、データロガー１０の表示部１０ｃに表示された各パラメータを撮影してパラメータ画像を取得するようにしてもよい。パラメータ画像には、刻々と変化する各パラメータのある一瞬の値が含まれることになる。つまり、パラメータ画像に示されている各パラメータは、作業データのうちいずれかの単位作業データ（図３に示すいずれかの行のデータ）の各パラメータに一致するはずである。したがって、携帯端末１４の制御部１４ｈは、パラメータ画像を解析した各パラメータを値として取得し、データロガー１０から入力された作業データに、パラメータ画像に含まれる各パラメータと一致する単位作業データがあるか否かを判定し、それがない場合は、当該作業データが改ざんされた可能性があると識別することができる。この場合、携帯端末１４あるいはサーバ１６は、作業者あるいは管理者に対して警告を出力するなど、適切な処置を行うことができる。
【００７２】
また、作業データは作業中に順次取得され、また工事の工程は多岐に亘るところ、サーバ１６へ送信される作業データの量はどうしても膨大になってしまう。そのようなデータを単純にサーバ１６記憶していたのでは、管理者が目的の作業データをサーバ１６から見つけ難くなってしまい、工事現場の管理を好適に行うことができない。
【００７３】
本実施形態によれば、工事現場画像データ及び作業データは工事現場あるいは工事プロジェクト毎に区別して記憶されるから、管理者は目的のデータを容易にサーバ１６から発見することができる。また、作業データが工事現場画像データと関連付けられていることから、例えば工事現場画像データをサムネイルなどの形式で管理端末１８，２０に表示させ、管理者に画像を閲覧させて目的の工程を選択させ、その上で、ある工程の画像がクリックされた場合は、当該画像に関連付けられた作業データを表示させることができる。これにより、管理者が目的の作業データをより容易にサーバ１６から見つけることができる。
【００７４】
＜第２実施形態＞
図９は、第２実施形態に係る工事現場撮影システムのデータの流れを示す図である。第２実施形態に係る工事現場撮影システムが有する各構成要素は、第１実施形態に係る工事現場システム（図１参照）と同様であるため、その説明を省略する。第２実施形態においては、第１実施形態に比して、データロガー１０が有する通信部１０ｄ（図２参照）が、インターネット２２に接続する機能を有している（つまりデータロガー１０がインターネット２２を介して通信可能である）点において異なる。
【００７５】
図１０は、第２実施形態における処理の流れを示すフローチャートである。図９を参照しつつ、図１０に示された処理の流れを説明する。
【００７６】
ステップＳ３０において、工事現場において作業機械１２による作業が開始されると、データロガー１０により、作業機械１２による作業の作業結果を示す作業データが取得される。本例においても、杭穴掘削作業及びセメントミルク注入作業が行われ、各作業中における電流値データ及び流量データが作業データとして取得される。また、本例においても、当該作業に先立ってデータロガー１０にこれから作業を行う工程を識別する工程ＩＤが作業者によって入力されており、取得された作業データに当該工程ＩＤが含められている。
【００７７】
ステップＳ３２において、携帯端末１４により、作業が終了した工程に関する工事現場写真が撮影される。本例においても、掘削した杭穴３０及び杭穴３０に流入されたセメントミルク３２が撮影される。これにより、当該工程に関する工事現場画像データが取得される。また、本例においても、工事現場写真の撮影に先立って携帯端末１４にこれから撮影を行う工事現場写真の工程を識別する工程ＩＤが作業者によって入力されており、取得された工事現場画像データに当該工程ＩＤが含められる。
【００７８】
ステップＳ３４において、ステップＳ３２の撮影処理に応じて、携帯端末１４から複数のデータロガーに対して撮影通知信号が同報送信される。また、携帯端末１４は、撮影通知信号と共に、当該工事現場写真の工程を識別する工程ＩＤを共に複数のデータロガー１０に送信する。
【００７９】
ステップＳ３６において、携帯端末１４の制御部１４ｈは、取得した工事現場画像データをサーバ１６に送信する。また、携帯端末１４は、当該工事現場画像データに関する工事現場を識別する現場ＩＤをサーバ１６へ送信する。さらに、ステップＳ３４において撮影通知信号を受信したデータロガー１０は、当該撮影通知信号を受信したことをトリガとして、記憶部１０ｂに記憶された作業データをサーバ１６に送信する。これにより、工事現場画像データと共に対応する作業データがサーバ１６へ送信される。なお、撮影通知信号と共に、携帯端末１４が撮影した工事現場写真に関する工程を示す工程ＩＤがデータロガー１０に送信されているため、データロガー１０は、受信した工程ＩＤに基づいて、当該工程ＩＤに対応する作業データをサーバ１６に送信する。具体的には、電流計から杭打ち作業中に得られた電流値データが工程ＩＤと共にサーバ１６へ送信され、さらに、流量計から作業中に得られた流量データが工程ＩＤと共にサーバ１６に送信される。
【００８０】
ステップＳ３８において、サーバ１６は、関連付けられた（つまり同じ工程ＩＤが付された）工事現場画像データと作業データを、共に受信した現場ＩＤに基づいて、工事現場毎に区別して記憶する。
【００８１】
第２実施形態に係る工事現場撮影システムによれば、取得された作業データは、データロガー１０からサーバ１６へ送信される。つまり、作業データは作業者などによりデータロガー１０から持ち出されることがないから、作業データの改ざんがより確実に防止される。
【００８２】
上記第２実施形態においては、工事現場画像データは携帯端末１４から送信され、作業データはデータロガー１０から送信されているが、携帯端末１４が工事現場画像データを取得した後、当該工事現場画像データを一旦データロガー１０に送信し、データロガー１０の制御部３０ｆにおいて、工程現場画像データと作業データとを関連付けた上で、両データをデータロガー１０からサーバ１６に送信するようにしてもよい。
【００８３】
＜第３実施形態＞
図１１は、第３実施形態に係る工事現場撮影システムのデータの流れを示す図である。第３実施形態に係る工事現場撮影システムが有する各構成要素は、第２実施形態に係る工事現場システムと同様であるため、その説明を省略する。
【００８４】
図１２は、第３実施形態における処理の流れを示すフローチャートである。図１１を参照しつつ、図１２に示された処理の流れを説明する。
【００８５】
ステップＳ４０において、工事現場において作業機械１２による作業が開始されると、データロガー１０により、作業機械１２による作業の作業結果を示す作業データが取得される。本例においても、杭穴掘削作業及びセメントミルク注入作業が行われ、各作業中における電流値データ及び流量データが作業データとして取得される。また、本例においても、当該作業に先立ってデータロガー１０にこれから作業を行う工程を識別する工程ＩＤが作業者によって入力されており、取得された作業データに当該工程ＩＤが含められている。
【００８６】
ステップＳ４２において、携帯端末１４により、作業が終了した工程に関する工事現場写真が撮影される。本例においても、掘削した杭穴３０及び杭穴３０に流入されたセメントミルク３２が撮影される。これにより、当該工程に関する工事現場画像データが取得される。また、本例においても、工事現場写真の撮影に先立って携帯端末１４にこれから撮影を行う工事現場写真の工程を識別する工程ＩＤが作業者によって入力されており、取得された工事現場画像データに当該工程ＩＤが含められる。
【００８７】
ステップＳ４４において、携帯端末１４は、工程ＩＤを含む工事現場画像データをサーバ１６に送信する。このとき、携帯端末１４は、当該工事現場画像データに関する工事現場を識別する現場ＩＤをサーバ１６へ送信する。
【００８８】
ステップＳ４６において、工事現場画像データを受信したサーバ１６は、携帯端末１４から送信された現場ＩＤに基づいて、携帯端末１４と同じ工事現場において利用されているデータロガー１０に対して、作業データの送信を要求するための要求信号を送信する。当該要求信号には、受信した工事現場画像データに含まれる工程ＩＤも含められる。
【００８９】
ステップＳ４８において、データロガー１０は、サーバ１６からの要求信号、及びそれに含まれる工程ＩＤに従って、先にサーバ１６が受信した工事現場画像データに対応する作業データをサーバ１６に送信する。具体的には、データロガー１０としての電流計は、杭打ち作業中に取得された電流値データを作業データとしてサーバ１６に送信する。また、データロガー１０としての流量計は、セメントミルク注入作業中に取得された流量データを作業データとしてサーバ１６に送信する。
【００９０】
ステップＳ５０において、サーバ１６は、関連付けられた（つまり同じ工程ＩＤが付された）工事現場画像データと作業データを、共に受信した現場ＩＤに基づいて、工事現場毎に区別して記憶する。
【符号の説明】
【００９１】
１０  データロガー、１２  作業機械、１４  携帯端末、１６  サーバ、１８，２０  管理端末、２２  インターネット。
【要約】
【課題】工事現場において計測された作業データを取得することによって、工事現場における作業の信頼性を担保する。
【解決手段】データロガー１０は、作業機械１２による作業の結果を示す作業データを工程毎に取得する。取得された作業データは、工事現場内通信回線を介して携帯端末１４に送信される。携帯端末１４はカメラ機能を有しており、各工程の作業が終了したときに、その作業の出来栄えを示す工事現場写真を撮影する。携帯端末１４により工事現場画像データが取得されると、直ちに、当該工事現場画像データと、対応する作業データとが関連付けられてサーバ１６へ送信される。
【選択図】図１【図１】
0005946079.tif 000002
【図２】
0005946079.tif 000003
【図３】
0005946079.tif 000004
【図５】
0005946079.tif 000005
【図６】
0005946079.tif 000006
【図８】
0005946079.tif 000007
【図１０】
0005946079.tif 000008
【図１２】
0005946079.tif 000009
【図４】
0005946079.tif 000010
【図７】
0005946079.tif 000011
【図９】
0005946079.tif 000012
【図１１】
0005946079.tif 000013